(57)【特許請求の範囲】
【請求項１】
インターホンシステムを構成するインターホン子機において、
自子機が接続されたインターホン親機を呼び出す親機呼出手段と、前記親機呼出手段を遠隔から起動するコード付遠隔呼出ボタンが接続される遠隔呼出ボタン接続手段と、前記コード付遠隔呼出ボタンが接続されていないことを検知する接続エラー検知手段と、前記コード付遠隔呼出ボタンが押下されたことを検知する遠隔呼出ボタン押下検知手段と、前記接続エラー検知手段が接続エラーを検知した場合に前記インターホン親機または自子機が備える警報表示部に接続エラーを報知する接続エラー報知手段と、を有し、
前記接続エラー報知手段は、接続エラーを報知した後に、前記遠隔呼出ボタン押下検知手段が前記コード付遠隔呼出ボタンの押下を検知した場合に前記接続エラーに係る報知を解除することを特徴とする接続エラー検知機能を有するインターホン子機。
【発明の詳細な説明】
【技術分野】
【０００１】
本発明は、入院患者が看護士を呼ぶナースコールシステム等に用いられる、コードで延伸接続されたコード付遠隔呼出ボタンを備えると共に、該コード付遠隔呼出ボタンの脱着に係る脱落警報機能を有するインターホン子機に関するものである。
【背景技術】
【０００２】
コード付遠隔呼出ボタンを備えるナースコール子機は、該コード付遠隔呼出ボタンがインターホン子機から脱落した場合に脱落したことを親機に報知する脱落警報を有し、脱落警報を解除するにはインターホン子機に設けられた復旧ボタンを一定時間以上押下する方法が一般的であった。このことは特許文献１で示されている。
【先行技術文献】
【特許文献】
【０００３】
【特許文献１】特開２００６−２７１８１７号公報
【発明の概要】
【発明が解決しようとする課題】
【０００４】
しかしながら、特許文献１に記載された方法では、復旧ボタンの押下のみで脱落警報を解除していたため、コード付遠隔呼出ボタンを再接続した際、そのコードが実際に接続されているか、また、断線やボタン部の破損等により、親機に対する呼出機能が損なわれていないかを、確認することができないという欠点があった。
【０００５】
そこで本発明の課題は、脱落警報を解除する際に、コード付遠隔呼出ボタンによる呼出機能の正常性を確認してから脱落警報を解除するインターホン子機を提供することにある。
【課題を解決するための手段】
【０００６】
そこで本発明では、上記課題を解決するために、インターホンシステムを構成するインターホン子機において、自子機が接続されたインターホン親機を呼び出す親機呼出手段と、前記親機呼出手段を遠隔から起動するコード付遠隔呼出ボタンが接続される遠隔呼出ボタン接続手段と、前記コード付遠隔呼出ボタンが接続されていないことを検知する接続エラー検知手段と、前記コード付遠隔呼出ボタンが押下されたことを検知する遠隔呼出ボタン押下検知手段と、前記接続エラー検知手段が接続エラーを検知した場合に前記インターホン親機または自子機が備える警報表示部に接続エラーを報知する接続エラー報知手段と、を有し、前記接続エラー報知手段は、接続エラーを報知した後に、前記遠隔呼出ボタン押下検知手段が前記遠隔呼出ボタンの押下を検知した場合に前記接続エラーに係る報知を解除することを特徴とする。
【発明の効果】
【０００７】
本発明によれば、コード付遠隔呼出ボタンを再び接続した際に、コード付遠隔呼出ボタンの機能が正常であることを確認した後に脱落警報を解除するので、信頼性の高いナースコールシステム等向けのインターホン子機を提供することができる。
【図面の簡単な説明】
【０００８】
【図１】図１は、本発明による接続エラー検知機能を有するインターホン子機のブロック構成図である。
【図２】図２は、本発明による接続エラー検知機能を有するインターホン子機の動作フローである。
【発明を実施するための形態】
【０００９】
以下、図面を用いて本発明の実施例を説明する。
【００１０】
図１は、本発明による接続エラー検知機能を有するインターホン子機のブロック構成を示す図で、
本発明によるインターホン子機３と通報先である親機１とが配線２を介して接続され、通報先の親機１は、更に電話交換機能を有する応対者呼出装置１０と配線１９を介して接続され、応対者端末１１〜１２を呼び出せるよう構成されている。
【００１１】
またインターホン子機３に付随するコード付遠隔呼出ボタン４は、遠隔呼出ボタン４０１と遠隔呼出ボタンの状態をインターホン子機３に伝える配線４０２と、コード付遠隔呼出ボタン４とインターホン子機３との接続性を確認するための配線(接続確認用配線)４０３とループ回路４０４を具備しており、プラグ４０５によってインターホン子機３のソケット３１５と接続されている。
【００１２】
また本発明によるインターホン子機３は、親機１に対して呼び出しを要求する呼出ボタン３１１と該呼出ボタンの押下を検知する呼出ボタン押下検知部３１２と、親機１に対する呼出中止を要求する復旧ボタン３１３と該復旧ボタンの押下を検知する復旧ボタン押下検知部３１４と、遠隔呼出ボタン４０１の押下を検知する遠隔呼出ボタン押下検知部３１６と、コード付遠隔呼出ボタン４の接続確認用配線４０３が形成するループ回路４０４の状態を検知するコード接続状態検知部３１７を有している。
【００１３】
また呼出ボタン押下検知部３１２は、子機の呼出ボタン３１１が押下されたことを検知した場合、親機呼出部３２１に対して親機１の呼出要求を通知し、親機呼出部３２１は親機インタフェース部３０１を介して親機１を呼び出す。
【００１４】
このとき親機１は、連携する応対者呼出装置１０に呼出指示を中継し、応対者端末１１〜１２を呼び出す。
【００１５】
また復旧ボタン押下検知部３１４は、子機の復旧ボタン３１３が押下されたことを検知した場合、親機呼出部３２１に対して親機１に対する呼出中止要求を通知し、親機呼出部３２１は親機の呼び出しを停止する。
【００１６】
このとき親機１は、連携する応対者呼出装置１０に呼出中止を指示し、応対者端末１１〜１２の呼び出しを中止する。
【００１７】
また遠隔呼出ボタン押下検知部３１６は、通常時においてコード付遠隔呼出ボタン４の遠隔呼出ボタン４０１が押下されたことを検知した場合、親機呼出部３２１に対して呼出要求を通知し、親機呼出部３２１は親機インタフェース部３０１を介して親機１を呼び出す。
【００１８】
インターホン子機３からの呼び出しに対して親機１もしくは連携する応対者端末１１〜１２が応答したことを応答／切断検知部３２４で検知すると、応答／切断検知部３２４は親機呼出部３２１に対して呼出中止要求を通知し、また通話回路３２５に指示して親機１または応対者端末１１〜１２とスピーカ３３１とマイク３３２間の通話路を接続し、親機１または応対者端末１１〜１２と子機３とが通話状態となる。
【００１９】
次に、コード付遠隔呼出ボタン４が引っ張られ、子機３のソケット３１５からプラグ４０４が外されると、コード接続状態検知部３１７で接続性確認用配線４０３が形成するループ回路４０４が解放状態となった(すなわちコード付遠隔呼出ボタンが子機から外れた)と認識して、脱落警報通知部３２３に対して脱落警報の送出要求を通知し、脱落警報通知部３２３は親機インタフェース部３０１を介して親機１に脱落警報を報知すると共に、警報ランプ３１９を点灯状態とする。
【００２０】
このとき親機１は、連携する応対者呼出装置１０を介して応対者端末１１〜１２にも警報を報知するよう指示する。
【００２１】
この警報報知状態においてコード付遠隔呼出ボタンが再び接続されると、コード接続状態検知部３１７はコードが接続されたことを検知し、警報解除判定部３２２に通知する。
【００２２】
次に、遠隔呼出ボタン押下検知部３１６は、遠隔呼出ボタン４０１が押下されたことを検知すると、警報解除判定部３２２に通知する。
【００２３】
警報解除判定部３２２は、コード接続状態検知部３１７及び遠隔呼出ボタン押下検知部３１６の検知結果を判断して、脱落警報通知部３２３に親機１に対する脱落警報を解除(中止)するよう指示する。
【００２４】
このとき親機１は脱落警報の解除を検知すると、連携する応対者呼出装置１０を介して応対者端末１１〜１２への警報報知を中止する。
【００２５】
尚、本実施例では、コード付遠隔呼出ボタン４とインターホン子機３との接続性を確認するための手段を、独立した配線(接続確認用配線)４０３として示しているが、実施に際しては、遠隔呼出ボタンの状態をインターホン子機３に伝える配線４０２とが兼用された形態でもよい。
【００２６】
また本実施例では、１台の親機に対して１台のインターホン子機を接続した構成として示しているが、実施に際しては、１台の親機に複数のインターホン子機を接続した構成でもよい。
【００２７】
図２は、本発明による接続エラー検知機能を有するインターホン子機の動作フローを示す図である。
【００２８】
待機状態(Ｓ３０００)において、子機の呼出ボタン３１１の押下を検知した場合(Ｓ３００１,Ｙｅｓ)、またはコード付遠隔呼出ボタン４の遠隔呼出ボタン４０１の押下を検知した場合(Ｓ３００２,Ｙｅｓ)に、親機呼出部３２１より親機１を呼び出す(Ｓ３０３１)。
【００２９】
尚、本図の説明においては、親機１と連携する応対者端末１１〜１２の呼び出し動作については省略する。
【００３０】
次に、復旧ボタン３１３が押下されずに(Ｓ３０３２,Ｎｏ)、応答／切断検知部３２４において親機１が応答したことを検知すると(Ｓ３０３３,Ｙｅｓ)、親機呼出部３２１に対して呼出中止を指示した後(Ｓ３０４１)、通話回路３２５を制御して親機と子機(スピーカ３３１とマイク３３２)の通話路を接続し、通話状態とする(Ｓ３０４２)。
【００３１】
次に、親機が通話を切断したことを応答／切断検知部３２４で検知すると(Ｓ３０５１,Ｙｅｓ)、通話回路３２５を制御して親機と子機(スピーカ３３１とマイク３３２)の通話路を解放し(Ｓ３０５２)、待機状態(Ｓ３０００)に戻る。
【００３２】
またステップ３０３２において、復旧ボタン３１３が押下されたことを検知すると(Ｓ３０３２,Ｙｅｓ)、親機呼出部３２１に対して呼出中止を指示し(Ｓ３０６１)、待機状態(Ｓ３０００)に戻る。
【００３３】
ステップ３００３において、コード接続状態検知部３１７がコード付遠隔呼出ボタンが脱落したことを検知すると(Ｓ３００３,Ｙｅｓ)、脱落警報通知部３２３に指示して親機１に対して脱落警報を報知し(Ｓ３０１１)、警報ランプ３１９を点灯状態とし(Ｓ３０１２)、脱落警報報知状態とする。
【００３４】
次に、脱落警報報知状態において、コード接続状態検知部３１７がコード付遠隔呼出ボタンが再接続されたことを検知し(Ｓ３０２１,Ｙｅｓ)、更に遠隔呼出ボタン押下検知部３１６が遠隔呼出ボタン４０１が押下されたことを検知すると(Ｓ３０２２,Ｙｅｓ)、警報解除判定部３２２は、遠隔呼出ボタンの接続が有効であり、かつ遠隔呼出ボタンの押下の検知結果も有効であると判断して、脱落警報の報知を解除し(Ｓ３０２３)、警報ランプ３１９を消灯して(Ｓ３０２４)、待機状態(Ｓ３０００)に戻る。
【００３５】
尚、本実施例では、ＣＰＵを搭載してソフトウェアによって各状態遷移をとる構成として説明しているが、本願はこれに限定しない。論理回路の組合せで実現するようにしてもよい。
【符号の説明】
【００３６】
１；親機
２；配線
３；本発明によるインターホン子機
４；コード付遠隔呼出ボタン
３０１；親機インタフェース部
３１１；呼出ボタン
３１２；呼出ボタン押下検知部
３１３；復旧ボタン
３１４；復旧ボタン押下検知部
３１５；ソケット
３１６；遠隔呼出ボタン押下検知部
３１７；コード接続状態検知部
３１９；警報ランプ
３２１；親機呼出部
３２２；警報解除判定部
３２３；脱落警報通知部
３２４；応答／切断検知部
３２５；通話回路
３３１；スピーカ
３３２；マイク
４０１；遠隔呼出ボタン
４０２；遠隔呼出ボタンの状態をインターホン子機３に伝える配線
４０３；コード付遠隔呼出ボタンの接続確認用配線
４０４；ループ回路
４０５；プラグ
【図１】
0005418297.tif 000002
【図２】
0005418297.tif 000003